【事件の表示】
　特許第３４６３９４０号「電子複写印刷システムと方法」の請求項１ないし９に係る特許に対する特許異議の申立てについて、次のとおり決定する。
【結　論】
　訂正を認める。
　本件特許異議の申立てを却下する。
【理　由】
１．手続の経緯
　特許３４６３９４０号の請求項１に係る発明についての出願は、平成３年９月２１日（パリ条約による優先権主張１９９０年９月２４日、米国）に特許出願され、平成１５年８月２２日にその特許権の設定登録がなされ、その後、コニカミノルタテクノロジーセンター株式会社より特許異議の申立がなされ、取消しの理由が通知され、その指定期間内である平成１６年１０月２０日に訂正請求がなされたものである。
　
２．訂正の適否についての判断
（１）訂正の内容
　請求項１を削除する。
　請求項２〜９を繰り上げて、請求項１〜８とする。
（２）訂正の目的の適否、新規事項の有無及び特許請求の範囲の拡張・変更の存否
　上記訂正は、特許請求の範囲の減縮を目的とした明細書の訂正に該当し、新規事項の追加に該当せず、実質上特許請求の範囲を拡張し、又は変更するものではない。
（３）むすび
　以上のとおりであるから、上記訂正は、特許法第１２０条の４第３項で準用する平成６年改正前の第１２６条第１項ただし書き、第２、３項の規定に適合するので、当該訂正を認める。
　
３．特許異議の申立についての判断
　請求項１に係る発明は、訂正の結果削除されたので、特許異議の申立ての対象が存在しないので、この特許異議の申立は、不適法な申立であって、その補正をすることができないものである。
　したがって、本件特許異議の申立ては、特許法第１２０条の６第１項で準用する第１３５条の規定によって却下すべきものである。
　よって、結論のとおり決定する。
【異議決定日】
平成１６年１０月２６日（２００４．１０．２６）
【訂正の要旨】
審決（決定）の【理由】欄参照。
（５４）【発明の名称】
電子複写印刷システムと方法
（５７）【特許請求の範囲】
　【請求項１】　出力文書セット用の表紙を作成する機能を有し、前記機能は、オペレータが表表紙及び／又は裏表紙を所望の体裁に選択できるようにする機能を含む電子複写印刷システムであって、
　原稿文書セットの電子的表現を作成しそれをシステム内に記憶するために、前記原稿文書セットを走査する走査装置と、
　原稿文書セットの電子的表現から、順に並べられた電子画像のセットを作成するための手段を備え、所望の体裁に応じて表表紙及び／又は裏表紙を作るのに適した形に電子画像を自動的に再配列する手段と、
　前記再配列された電子画像の印刷出力を生成して、表紙を含む完成した文書を作るためのプリンタを備え
、
　電子画像を自動的に再配列する手段は、さらに、
　順に並べられた電子画像セットに空白の電子画像を挿入するための手段と、
　所望の表表紙と裏表紙との体裁、及び片面印刷か両面印刷かに応じ、電子画像セットの順序を変更し印刷に適した再配列された電子画像セットを作るための手段を備えた
　【請求項２】　
出力文書セットの表紙を作成する機能を有する電子複写印刷システムであって、
　オペレータの選択に応じて、原稿文書が片面か両面かを指示するための手段と、
　前記出力文書セットに対し片面印刷するか両面印刷するかを選択するための手段と、
　前記オペレータによって変更調整可能であり、前記システムが一組の表表紙のパラメータに基づいて前記出力文書セットに対する表表紙を作成するように前記一組の表表紙のパラメータをプログラムするための手段と、
　前記オペレータにより変更可能であり、前記システムが一組の裏表紙のパラメータに基づいて前記出力文書セットに対する裏表紙を作成するように前記一組の裏表紙のパラメータをプログラムするための手段と、
　各出力文書用紙に相当する画像を各々が有する一連の電子ページを作成するために、印刷ジョブの対象となる原稿文書用紙を走査するための手段と、
　プログラムされた前記印刷ジョブの順序に従い前記電子ページを配列するための手段と、
　前記表表紙パラメータに応じて前記電子ページの画像の順序を変更するための手段と、
　前記裏表紙パラメータに応じて前記電子ページの画像の順序を変更するための手段と、
　前記出力文書セットの電子ページを印刷するための手段を備えたことを特徴とする
　【請求項３】　
一組の表表紙のパラメータをプログラムするための手段は、
　表表紙のパラメータを表示スクリーン上に表示する手段と、
　オペレータの選択に応じ、前記表表紙のために使用可能な表紙ストックのオプションを表示するための手段と、
　表表紙の作成に使用されるべき表紙ストックのオプションを選択する手段と、
　オペレータの選択に応じ、前記表表紙のために使用可能な印刷のオプションを表示するための手段と、前記表表紙の作成に使用されるべき印刷のオプションを選択する手段を備えたことを特徴とする請求項２に記載の
　【請求項４】　一組の
裏表紙
　
裏表紙
　オペレータの選択に応じ、
前記裏表
　裏表紙
　オペレータの選択に応じ、
裏表紙の
　裏表紙
更に備えたことを特徴とする請求項２に記載の
　【請求項５】　
プログラムされた印刷ジョブの順序に従い電子ページを配列するための手段は、
　印刷ジョブのためにプログラムされた印刷出力モードを判定する手段と、
　出力モードに応じ、電子ページを片面か両面かのいずれかに設定する手段を更に備えたことを特徴とする請求項２に記載の
　【請求項６】　
表表紙のパラメータに応じて電子ページの画像の順序を変更するための手段は、
　印刷ジョブのためにプログラムされた印刷出力モードを判定する手段と、
　空白の電子ページを一連の電子ページの末尾に追加する手段と、
　表表紙の電子ページに関連する画像以外の画像を一連の電子ページの末尾方向にシフトし、最後にシフトされた画像が取り除かれた位置が空白ページとなるようにする手段と、
　表表紙を片面印刷するか両面印刷するかに応じて一連の電子ページにおける最初の２ページに関連する画像を移動する手段と、
　画像の移動により生じた空白の２番目のページを削除するための手段とを備えたことを特徴とする請求項２に記載の
　【請求項７】　
裏表紙
　印刷ジョブのためにプログラムされた印刷出力モードを判定する手段と、
　空白の電子ページを前記一連の電子ページの末尾に追加する手段
と、
　裏表紙を
　画像の移動により生じた空白の
最後から
請求項２に記載の
　【請求項８】　
片面又は両面の原稿文書を入力する機能を持つ電子複写印刷システムにおいて、出力セットに対する表紙の追加及び前記出力セット及び／又は表紙への印刷を制御するための電子複写印刷方法であって、
ａ）前記原稿文書が片面か両面かを指示する段階と、
ｂ）前記出力セットに対し片面印刷するか両面印刷するかを選択する段階と、
ｃ）表表紙を片面印刷するか両面印刷するかの選択を含み、前記出力セットに対して表表紙を作成するか否かについて前記システムを選択的にプログラムする段階と、
ｄ）裏表紙を片面印刷するか両面印刷するかの選択を含み、前記出力セットに対して裏表紙を作成するか否かについて前記システムを選択的にプログラムする段階と、
ｅ）印刷ジョブの対象となる前記原稿文書を走査し、前記原稿文書の各々に相当する電子ページを作成する段階と、
ｆ）前記印刷ジョブのためにプログラムされた順序に従い前記電子ページを編成する段階と、
ｇ）前記段階ｃ）において表表紙を作成することが選択された場合には、プログラムされた形で前記表表紙を印刷する段階と、
ｈ）前記片面印刷するか両面印刷するかの選択に応じて前記出力セットの表紙でない用紙を印刷する段階と、
ｉ）前記段階ｄ）において裏表紙を作成することが選択された場合には、プログラムされた形で前記裏表紙を印刷する段階を含むことを特徴とする電子複写印刷方法
【発明の詳細な説明】
　【０００１】
　文書の複写印刷時、間々必要を感じるのはひと組の出力文書中に別種の紙を一枚ないし数枚差し込めればと云うことである。フォレスト（Ｆｏｒｅｓｔ）等の米国特許第４，７６３，１６１号では挿入モードで運転可能な複写機が開示されており、このモードでキイシートを用いて挿入紙にスポットマークを入れるようになっている。この挿入紙は白紙であってもその上に画像を有するものでもよい。
　【０００２】
　サトミ（Ｓａｔｏｍｉ）等の米国特許第４，２１８，１３０号では複写機を自動的に制御して複写用紙の裏面にも印刷が出来る方法が開示されており、書籍のような文書を送り込むと原本と同一の配列・体裁で出来上がるよう設定出来る。
　【０００３】
　概略的には、上記関連技術にはどれにも出力文書のセットに表紙を自動的に挿入する方法を教示していない。しかしながら、ゼロックス５０９０（登録商標）複写機ならば表表紙と裏表紙の両方または一方のどちらにも複写ジョブに自動的に付け加えることが可能であり、１９８８年１１月発行のニューヨーク州ロチェスター　ゼロックスコーポレーション製ゼロックス５０９０複写機取扱説明書記載の通りである。とは言え遺憾なことにオペレータの介入が不可欠な部分があり、言い換えれば自動化では表紙の体裁が自由に選べないのであってそのため表紙紙を別の複写ジョブで作らざるを得ない場合が少なくない。したがって丁合い仕事をして表紙と中身との綴じ上げと言う後ジョブをしなければならなない。
　【０００４】
　文書セットの表紙作りが蒙る制約と電子複写印刷システムに備る潜在的な能力とを併せて考慮すれば、表紙作りは電子複写印刷システムの制御能力に任せた方が賢明である。一般的に言って、電子複写印刷システムもしくは電子印刷システムの能力なるものはデジタル画像記憶を利用した複製であるからかなり多様な種類の表紙が作れるのであって投入原稿の体裁に関係なくどんな体裁の表紙でも作れるのである。
　【０００５】
　したがって本発明の目的は電子複写印刷システムが送り出す文書に付ける表紙をつくる際の制御方法を提供することである。本発明の２次的な目的は挿入表紙の１面にでも２面にでも自動的に印刷出来るようにすることであってその印刷画像は事前に入力した画像に対応している。本発明の別な目的として当初プログラムで予定した出力文書セットと表紙付きとなった出力文書との間の食い違いを自動的に調整することでこの食い違いなるものは表紙紙に１ページかそれ以上画像が印刷されるため起こる現象である。最後にもう一つ本発明の利点を挙げれば原本つまり投入文書セットと表紙紙を含めた所望の出力文書セットとの間の食い違いを取り除くのに手ジョブをしないで済む点であって表紙紙挿入が必要な複写ジョブの運用効率向上という効果をもたらすものである。
　【０００６】
　本発明は出力文書セット用の表紙の製作が可能な電子複写印刷システムであってオペレータによる所望表紙の選択機能を備えている。さらに該システムは原稿文書セットを走査する走査装置を備えて原稿文書セットを電子的にデータ化することが出来る。したがって該システムは適当な方法で電子画像を自動的に再配列することが出来るから、前もって決めておいた表裏の表紙の両方ともまたは片方だけでも製作することが出来る。最後に該システムの印刷部で再配列した電子画像から文書を送り出し表紙を付けて完成した文書が得られる。
　【０００７】
　本発明の理解をさらに深めるには添付の図面を参照されたい。図中の同一参照数字は同一部分を指す。
　【０００８】
　図１は電子印刷システムの透視図であって本発明のプリンタ優先機能が組み込まれているものである。
　【０００９】
　図２は図１に示された印刷システムの主要部分を示すブロックダイアグラムである。
　【００１０】
　図３は図１に示された印刷システムの主要機械部品の説明用平面図である。
　【００１１】
　図４は文書走査装置の特定部分の構造を詳細に示す模式図である。
　【００１２】
　図５ないし図７はシステム制御部の主要部の模式的ブロックダイアグラムからなっている。
　【００１３】
　図８はオペレーティングシステムを示すブロックダイアグラムであってプリント配線基板とライン共有結線とが記入されている。
　【００１４】
　図９はジョブプログラミングモードに在るユーザインタフェースタッチスクリーン表示装置の図であってプログラミングジョブに使われるジョブチケットとジョブスコアカードの例を表示したところである。
　【００１５】
　図１０は表紙プログラミングモードに在るユーザインタフェースタッチスクリーン表示装置の図であってオプションで表紙を選んだ場合を表示しているところである。
　【００１６】
　図１１は表紙プログラミングモードに在るユーザインタフェースタッチスクリーン表示装置の図であってジョブチケット領域内でオプションで表紙ストックを選んだ場合を表示しているところである。
　【００１７】
　図１２は表紙プログラミングモードに在るユーザインタフェースタッチスクリーン表示装置の図であってジョブチケット領域内でオプションで印刷を選んだ場合を表示しているところである。
　【００１８】
　図１３Ａは両面画像投入文書セットの典型例の複製に本発明による図１の印刷システムを用いた場合の図解である。
　【００１９】
　図１３Ｂないし図１３Ｄは表紙を備えた出力文書の３例であって図１３Ａの投入文書から作り出されたものである。
　【００２０】
　図１４Ａは片面ものの投入文書セットの典型例の複製に本発明による図１の印刷システムを用いた場合の図解である。
　【００２１】
　図１４Ｂないし図１４Ｄは表紙を備えた出力文書の３例であって図１４Ａの投入文書から作り出されたものである。
　【００２２】
　図１５は図１の印刷システムが自動化ステップを実行し１セットの原本を複製する過程の図解である。
　【００２３】
　図１６〜１７は本発明のスキャンダン（ＳｃａｎＤｏｎｅ）と言う手順での各種ジョブと手順呼出方法との図解フローチャートである。
　【００２４】
　図１８は本発明のセットカバーズ（ＳｅｔＣｏｖｅｒｓ）と言う手順での各種ジョブと手順呼出方法との図解フローチャートである。
　【００２５】
　図１９〜２０は本発明のセットフロントカバーズインターナル（ＳｅｔＦｒｏｎｔＣｏｖｅｒｓＩｎｔｅｒｎａｌ）と言う手順での各種ジョブと手順呼出方法との図解フローチャートである。
　【００２６】
　図２１〜２３は本発明のセットバックカバーズ（ＳｅｔＢａｃｋＣｏｖｅｒｓ）と言う手順での各種ジョブと手順呼出方法との図解フローチャートである。
　【００２７】
　〔好適な実施態様の説明〕
　図１および図２を参照する。これらの図は本発明の趣旨により印刷ジョブを行うレーザ型印刷システム２を図解したものであって、説明の都合上スキャナ部６、コントローラ部７、プリンタ部８に区分する。ここでは特定の型の印刷システムを採り上げて説明しているけれども本発明は他の型の印刷システム、たとえばインクジェット型印刷システムやイオン式静電型印刷システムなどにも適用可能である。
　【００２８】
　とくに図２ないし図４を参照すれば、スキャナ部６には透明なプラテン２０が組み込まれていてその上に被走査文書２２を置くことになっている。リニアアレイ２４を１個以上プラテン２０の下に設け往復運動させて走査する。レンズ２６、ミラー２８、２９、３０とは協働してアレイ２４をプラテン２０の線状区域つまりプラテン上の被走査文書に焦点合わせする。アレイ２４は被走査画像の画像信号すなわち画素をプロセッサ２５で適当に処理したのちコントローラ部７に出力する。
　【００２９】
　プロセッサ２５はアレイ２４が出力したアナログ画像信号をデジタル画像信号に変換して処理し、システム２が画像データを記憶し操作しやすいよう必要な形にしてプログラムジョブを遂行する。プロセッサ２５の役割はフィルタリング、限界値設定、スクリーニング、クロッピング、拡大／縮小など画像信号を強調したり変化させたりすることである。
　【００３０】
　被走査文書２２はプラテン２０上に置かれて循環文書処理装置（ＲＤＨ）モードか半自動文書処理装置（ＳＡＤＨ）モードのどちらかで稼働する自動文書処理装置（ＡＤＦ）３５により走査される。他にブックモードとコンピュータフォームフィーダ（ＣＦＦ）モードとを含む手動モードも用意してある。ここにコンピュータフォームフィーダモードとは文書をコンピュータ用折畳み用紙の様式に当てはめるよう調節するモードのことである。ＲＤＨモード動作の場合には文書処理装置３５に文書２２が一括して積み重ねてある文書トレイ３７が付属し、トレイ３７中の該文書２２はアレイ２４で走査されながらプラテン２０上の真空搬送ベルト４０、文書搬送ロール４１、文書搬送ベルト４２とで前送りされる。走査後該文書はベルト４２でプラテン２０から別れ文書搬送ロール４４でトレイ３７に戻る。
　【００３１】
　ＳＡＤＨモード動作の場合には文書挿入スロット４６を設けてあるから文書を個々に手挿しでプラテン２０に向って送り込めばトレイ３７とプラテン２０の間の文書搬送ベルト４２にアクセスできる。スロット４６の後方の搬送ロール４９はニップ部を形成し、文書を噛み込んで搬送ベルト４２とプラテン２０へ向けて送る。走査後、文書はプラテン２０から別れキャッチトレイ４８に排出される。
　【００３２】
　ＣＦＦモードの動作の場合にはコンピュータ書式のデータをスロット４６を介して送り込み搬送ロール４９で文書搬送ベルト４２に進め該ベルトはさらにプラテン２０の所定位置に折畳み紙データの１頁分を取り込む。
　【００３３】
　図２と図３とを参照すればプリンタ部８にはレーザ型プリンタが含まれており、説明上ラスター出力走査部（ＲＯＳ）８７、プリントモジュール部９５、用紙供給部１０７、仕上げ部１２０とに分けてある。ＲＯＳ８７はレーザ９１を備えレーザビームは２個の画像ビーム９４に分れ各ビーム９４は音響光変調器９２が印加する画像信号入力の内容に応じて変調され２重画像ビーム９４を生じる。ビーム９４は回転多面体の切り欠き小面鏡を介してプリントモジュール部９５の可動受光体９８を横切って走査し１回の走査毎に受光体９８上で２個の画像線を露光して変調器９２の入力画像信号に対応した静電潜像を生じる。受光体９８では画像ビーム９４の露光に先立ちその帯電面がコロトロン１０２の働きで一様に帯電している。該静電潜像は現像器１０４で現像され転写器１０６に達して用紙供給部１０７が駆動する印刷媒体１０８に転写される。当然のことながら媒体１０８としてどんな種類の寸法、形式、色の用紙が含まれていてもよい。転写に当っては該印刷媒体は主用紙トレイ１１０からも副用紙トレイ１１２または１１４からも受光体９８の現像画像と同期して引き出される。印刷媒体１０８に転送された現像画像は保存固定のため定着器１１６で定着し出来上がった印刷物は出力トレイ１１８または仕上げ部１２０に排出される。仕上げ部１２０にはステッチャ１２２付きの積み上げ機が組み込まれていて印刷物を束ねて綴じたりかがったりして本の形に纏め加熱製本器１２４で接着し文書として製本する。
　【００３４】
　図１、図２、図５を参照する。コントローラ部７を説明の都合上画像入力コントローラ５０、ユーザインタフェース（ＵＩ）５２、システムコントローラ５４、主メモリ５６、画像操作部５８、画像出力コントローラ６０とに分ける。
　【００３５】
　スキャナ部６のプロセッサ２５からコントローラ部７への走査画像データ入力はプリント配線基板（ＰＷＢ）７０−３上の画像入力コントローラ５０の画像圧縮装置／プロセッサ５１で圧縮される。画像データが画像圧縮装置／プロセッサ５１を通過するとＮ個の走査線を含む幅をもちスライスポインタを備えたスライスに区分される。圧縮画像データはスライスポインタと画像の特定情報（たとえば文書の画素の高さと幅、用いた圧縮技術、圧縮画像データのポインタ、画像スライスポインタに対するポインタなど）を提供する関連画像記述子と一体となって画像ファイルに収められる。さまざまの印刷ジョブに対応する画像ファイルは一時的にシステムメモリ６１に保存される。システムメモリにはランダムアクセスメモリ（ＲＡＭ）が含まれ主メモリへの転送を保留してデータを使用未定の侭保持出来る。
　【００３６】
　図１で明瞭なようにユーザインタフェース（ＵＩ）５２は会話形タッチスクリーン６２、キーボード６４、マウス６６からなる統合形オペレータ用コントローラつまりＣＲＴ表示装置を備えている。ＵＩ５２ではオペレータが印刷システム２とうまく協働して印刷ジョブやその他の命令をプログラム出来るようにしシステム操作情報、命令、プログラムに関する情報、診断に関する情報などが得られるようにしてある。ジョブも含めプログラミングと文書の走査の進むにつれてジョブデータはジョブファイル１８８（図１５図示）に置かれる。ファイルやアイコンなどタッチスクリーン６２の表示項目はそれを指で触るかまたはマウス６６でカーソル６７を該項目に合せて選びマウスをクリックして操作することが出来る。
　【００３７】
　主メモリ５６には複数のハードディスク９０−１、９０−２、９０−３が備えられ機械のオペレーティングシステムのソフトウエア、機械の動作データ、走査画像データのうち現在処理中のデータとを保存する。
　【００３８】
　主メモリ５６の圧縮画像データの処理をなお進める場合、またはＵＩ５２のタッチスクリーン６２に表示の要ある場合、もしくはプリンタ部８で必要な場合、該データは主メモリ５６内でアクセスされる。さらにプロセッサ２５の処理以外にあらたに処理を必要とする場合には該データはプリント配線基板７０−６の画像操作部５８に転送される。画像操作部５８では付加的な処理ステップたとえば照合、実行可能状態設定、分解などが実行される。これらの処理が済むと該データは主メモリ５６に戻りＵＩ５２に移ってタッチスクリーン６２に表示されるかもしくは画像出力コントローラ６０に転送される。
　【００３９】
　画像出力コントローラ６０に出力された画像データはプリント配線基板７０−７、７０−８の画像発生プロセッサ８６で圧縮を解かれて印刷の実行準備状態に入る（図５参照）。続いて該データはプリント配線基板７０−９のディスパッチプロセッサ８８、８９でプリンタ部８に出力される。プリンタ部８へ転送した印刷用画像データは通常主メモリ５６から消去しメモリ空間を後続画像データ用に空き部屋にする。
　【００４０】
　図５ないし７をとくに注目すればコントローラ部７には複数のプリント配線基板７０が含まれ相互間もまたシステムメモリ６１とも一対のメモリバス７２、７４を介してつながり、メモリコントローラ７６はシステムメモリ６１とバス７２、７４とでつながっている。プリント配線基板７０には複数のシステムプロセッサ７８を備えたシステムプロセッサプリント配線基板７０−１、データをＵＩ５２との間でやり取りするためのＵＩ通信コントローラ８０を備えた低速度入出力プロセッサプリント配線基板７０−２、データを主メモリ５６のディスク９０−１、９０−２、９０−３それぞれとの間でやり取りするためのディスク駆動装置コントローラ／プロセッサ８２を備えたプリント配線基板７０−３、７０−４、７０−５（画像データ圧縮用画像圧縮装置／プロセッサ５１はプリント配線基板７０−３に所在）、画像操作部５８の画像操作プロセッサを伴う画像操作用プリント配線基板７０−６、画像データをプリンタ部８を用いて印刷処理するための画像発生プロセッサ８６を伴う画像発生プロセッサプリント配線基板７０−７、７０−８、データのプリンタ部８との間でのやり取りを制御するためのディスパッチプロセッサ８８、８９を備えたディスパッチプロセッサプリント配線基板７０−９、ブートコントロール仲裁スケジューラ・プリント配線基板７０−１０とが含まれている。
　【００４１】
　図８をとくに参照する。システム制御信号は複数のプリント配線基板へ分散する。これらプリント配線基板群に含まれるのはＥＤＮコアプリント配線基板１３０、マーキング画像形成コアプリント配線基板１３２、用紙操作コアプリント配線基板１３４、仕上げ部バインダコアプリント配線基板１３６、それに各種入出力（Ｉ／Ｏ）プリント配線基板群１３８である。システムバス１４０はコアプリント配線基板１３０、１３２、１３４、１３６を相互間ともコントローラ部７ともつなぎ他方局所バス１４２はＩ／Ｏプリント配線基板１３８を相互にもまたそれらの関連コアプリント配線基板ともつなぐ役割を果たしている。
　【００４２】
　機械本体の電源を入れるとオペレーティングシステムソフトウエアが主メモリ５６からＥＤＮコアプリント配線基板１３０にロードされさらにそこからバス１４０を介して残りのコアプリント配線基板１３２、１３４、１３６へ転送される。ここに各コアプリント配線基板１３０、１３２、１３４、１３６はブートＲＯＭ１４７を備えオペレーティングシステムソフトウエアのプリント配線基板へのダウンロードや誤作動の検出などの制御に使っている。このほかブートＲＯＭ１４７の役割はオペレーティングシステムソフトウエアと制御データとをプリント配線基板１３０、１３２、１３４、１３６との間でバス１４０を介して容易にやり取りさせ、さらに制御データがＩ／Ｏプリント配線基板１３８との間で局所バス１４２を介してやり取りさせることである。付加的なＲＯＭ、ＲＡＭ、ＮＶＭなどの各種メモリはシステム２内のさまざまな位置に常駐している。
　【００４３】
　図９を参照する。ジョブはジョブプログラムモードでプログラムされていてタッチスクリーン６２上には現にプログラムジョブ中のジョブチケット１５０とジョブスコアカード１５２とを表示する。ジョブチケット１５０にはプログラムされた各種ジョブの選択結果が、またジョブスコアカード１５２には該ジョブを印刷するためにシステムに与える基本命令が表示される。
　【００４４】
　図１０を参照する。特定の印刷ジョブでの所望の表紙のオプションプログラミングは表紙オプションジョブチケット１６０の中から所望の項目を選べば終了である。このチケットはユーザが図９図示の表紙タブを選べば表示される。表紙オプションジョブチケット中からユーザが表紙の絵のある表紙アイコンを選ぶと表紙の体裁が５種類中からひとつ選べると言う選択幅がある。第１オプションはデフォルトを兼ねていて無表紙でありアイコン１７２がそれを示している。表表紙と裏表紙のどちらかだけの場合はアイコン１６４と１６６とで夫々示している。アイコン１６８だと表裏とも表紙をつけることを選びそのあと表紙プログラミングが表裏ともに適用される。アイコン１７０を選ぶと表裏の表紙が互いに別個の体裁を採れるようになる。表紙オプションジョブチケットの目的はユーザが表紙オプションを選び易くすることである。ユーザが出力文書に表紙を付けたい場合４種類の表紙オプションアイコン１６４、１６６、１６８、１７０のどれかを選べる。それを実行に移す場合、図１１図示のように第２のプログラミングスクリーンが図１のＵＩ５２に表示される。表紙が一度プログラムされると図１０のスクリーンは表紙付けがその後取り止めにならない限り提示されることは無いと言うことを一言付け加えておく。
　【００４５】
　図１１を参照する。そこには表紙のストック用紙見本と印刷見本とが図示してあり、表紙ジョブスコアカード１８０には表表紙についての現在のプログラミング選択結果が描かれていて標準ストックの白紙を選んだことと印刷は白無地の侭としていることが分る。このどちらも表紙選択でデフォルト値を選んだことを意味する。表紙ジョブスコアカード１８０を見てその中から表表紙タブ１８４にするか裏表紙タブ１８６を選ぶか決めることが出来、適切な表表紙ないし裏表紙に関する表紙ジョブチケット１８２が表示される。図１１に図示したように表紙ジョブチケット１８２には表表紙用紙として表紙ストックを選択したことが表示されている。あるいはまた裏表紙タブ１８６を押せば裏表紙用紙として表紙ストックを選択したことが表示されれるようになっている。
　【００４６】
　その上、表紙ジョブスコアカード１８０を使うとユーザはジョブチケット内に表示してある情報を変更することも出来る。たとえばユーザが表紙ジョブスコアカード１８０内の印刷アイコン１８８を選んだとしよう。すると表紙ジョブチケット区域では表示が変り図１２の区域１８２ｂにオプションが描き出される。ここで図１２にも注目することにする。区域１８２ｂには表表紙用紙の画像印刷についての現在のプログラムされた選択範囲が表示される。表紙ジョブチケット１８２ｂ内のアイコンを使えばユーザは４種類の表紙印刷オプションから１点を選ぶことが出来よう。これらオプションはアイコン１９０の白紙状態と、アイコン１９２の表表紙印刷と、アイコン１９４の裏表紙印刷と、アイコン１９６の両面表紙印刷とから成る。さらにその上これら印刷オプションのどれもが表表紙と裏表紙の両方に対してでも片方に対してでも、投入原稿の印刷側とも出力文書の印刷側とも無関係に選べるのである。たとえば片面ものの投入原稿が図１４Ａのように両面印刷表表紙と両面印刷裏表紙を付けその間には図１４Ｄ図示のように片面印刷ページを入れて複製することが出来るのである。
　【００４７】
　ここで図１３Ａと図１３Ｂとを参照することにする。ここに図１３Ａは両面画像投入原稿の原本であり、図１３Ｂは文書出力印刷ジョブで作れる体裁である。投入原稿の図１３Ａには投入原稿として６枚の両面画像ページが含まれておりそれぞれＡ，Ｂ，Ｃ，Ｄ，Ｅ，Ｚで表わすこととし、この両面画像原本の１枚の両側の画像は添字１と２とで表わしこうして作った全部で１２個の原画像を図２の主メモリ５６に保存しこうした原画像が図１の走査部６で走査されることになる。
　【００４８】
　すこしの間、図１５を参照することにする。図１５は１セットの原稿文書を複製するための自動機ジョブのブロックダイアグラムである。ユーザは複製ジョブの開始にあたり先ず走査ジョブから着手する。これがスタートスキャン（ＳｔａｒｔＳｃａｎ）ブロック３００である。スタートスキャン開始後ブロック３０２で図１の走査部６は順次図１３Ａの投入両面原稿の両面を走査し、ブロック３０４で読み取り画像を文書出力順序に適切に並べる。ついでブロック３０６のスキャンダン（ＳｃａｎＤｏｎｅ）を実行し主メモリ内のページをプログラムされた表紙の特徴に合せて並べ替える。最後にブロック３０８でシステムコントローラが並べ替えジョブを印刷待ち行列に転送させ、ブロック３１０で図１のプリンタ部での文書出力を促進し、ブロック３１０でジョブが完了する。
　【００４９】
　再び図１３Ａと図１３Ｂとを参照する。図１３Ａに挙げた画像にはＡ１，Ａ２，Ｂ１，…，Ｚ１，Ｚ２と印しされ、図１３Ｂの方には出力ジョブ中の画像Ａ１，Ａ２，Ｂ１，…，Ｚ１，Ｚ２の出力文書に表表紙２００と裏表紙２０４とが夫々付いた形で示す。ここで表紙は表側だけ印刷され内容ページは両面印刷することになっている。さらに第１画像（Ａ１’）は表表紙２００の表側に在り表表紙２００の裏面は無地の侭にする。空白画像Ｐを主メモリ内の記号列に挿入して画像Ａ２’が第１中間ページ２０２ａの表側に印刷出来るようにする。それから残りの原画像Ａ２’，Ｂ１’，…，Ｚ１’，Ｚ２’を右側に寄せ空白画像Ｐが画像記号列内の画像Ａ１’のすぐ後に入れるよう空きを設けてやらなければならない。つぎに残りの中間用紙と裏表紙用紙とに順次主メモリに保存されていた画像Ｂ１’，Ｂ２’…，Ｚ１’，Ｚ２’を印刷する。
　【００５０】
　図１３Ｃを参照する。この図は本発明による前記とは異なる体裁の出力文書の印刷ジョブを示す。出力文書は裏側だけ印刷する表表紙２１０と表側だけ印刷する裏表紙２１２と両面印刷の中間紙からなっている。このような出力態様の時には表表紙２１０の表側を空白にするため空白画像Ｑを保存画像の記号列の最初の部分に挿入して表表紙を残りの分への両面印刷モードにしたがって出力しなければならない。空白画像以外の画像Ａ１’Ａ２’，Ｂ１’，…，Ｚ１’，Ｚ２’は右に寄せて画像（文書）記号列の先頭に空白画像Ｑの空きを設けてやらなければならない。
　【００５１】
　ここで図１３Ｄを参照することにする。この図は本発明による前記とも異なる体裁の出力文書印刷ジョブを表わし出力文書はどちらも両面印刷の表表紙２２０と裏表紙２２４付きで片面印刷なのは中間ページ２２２の方だけである。走査ジョブ後、保存画像はメモリ内に１画像当り１出力ページという風に順序正しく配列される。そこで表表紙を両面印刷するには第２ページの画像Ａ２’を最初のページつまり表表紙２２０の裏面に入れなければならない。該ページを移動させるとメモリ内のページ記号列に空白の第２ページが生成するのでこの空白第２ページを削除して表紙のすぐつぎに空白紙が出力されて来るのを防ぐ必要がある。同様に裏表紙画像を構成するには記号列内に最終画像Ｚ２’を読み込んで裏表紙２２４の裏面に移動させ、その前ページの画像Ｚ１’を読み込み表紙２２４の表側に移動すればよい。前ページの画像Ｚ１’を移動すると表紙直前の最後から２ページ目にまたも空白を生じるからこれも削除して空白紙の出力を避ける。
　【００５２】
　ここで図１４Ａと図１４Ｂとを参照することにする。ここに図１４Ａは片面ものの投入原稿であり図１４Ｂは出力印刷ジョブで作れる体裁の一つである。図１４Ａの投入原稿は７枚建ての片面ものであってそれをＡ，Ｂ，Ｃ，Ｄ，Ｅ，Ｆ．Ｚとし全７点の原画像を図１の走査部６で走査して生成し図２の主メモリ５６に保存する。
　【００５３】
　図１４Ｂは投入画像Ａ，Ｂ，Ｃ，…Ｚの出力ジョブ後の出力ページの体裁であって表側だけ印刷した表表紙２３０と裏表紙２３４と両面印刷した中間ページ２３２とからなる。原稿文書の走査に続いて画像は両面印刷出力手順に対応したジョブ列に保存される。そのため表表紙２３０の表側だけに画像を印刷するには画像Ｂ’からＺ’迄を１ページ分だけ右に寄せて第１出力紙つまり表表紙２３０の後に空白を作り出さなければならない。さらに画像列の最後に１ページ追加して画像Ｚ’を現在位置すなわち後から数えて２枚目の裏面の位置から裏表紙２３４の表側に移動させ中間紙の３枚目２３２ｃに空白ページＲを設けることが必要である。
　【００５４】
　ここで図１４Ｃを参照することにする。この図は本発明にしたがい前記とはさらに異なる体裁の出力文書の印刷ジョブを表わす。出力文書は裏面印刷だけの表表紙２４０と表側印刷だけの裏表紙２２４と両面印刷の中間ページ２４２である。走査がすむとメモリに在る画像は右へ１画像分だけ寄り表表紙２４０の表の空白分を稼ぎ、第１の出力紙の裏に画像Ａ’を生成し３枚の中間両面印刷紙の残り６面をＢ’からＺ’までの６画像で埋め尽くす。ついで裏表紙２４４の表に画像Ｚ’を印刷するのにジョブの最後に１ページ分付け加える必要があり、そこで画像Ｚ’は今の後から数えて２枚目の２４２ｃの裏面から図示の通り裏表紙２４４の表側へ移さなければならない。
　【００５５】
　ここで図１４Ｄを参照することにする。この図は前記とはさらに異なる体裁の図１４Ａの投入原稿と関連した出力文書の印刷ジョブを表わしており、所望の出力文書は両面印刷の夫々表表紙２５０と裏表紙２５４と片面印刷の中間ページ２５２とからなっている。前述の通り画像は走査中メモリに順次読み込まれている。ついで第２走査画像Ｂ’が第１紙、即表紙２５０の裏に移動しＢ’の占めていたページは今や空白となって削除される。最終紙、即裏表紙２５４はどう設定するかというと最終紙の表の画像Ｚ’を該紙の裏面に移動させ、画像Ｆ’を最終紙２５４の先行紙の表側から２５４自体の表側へ移動し空白化した先行紙をメモリから削除して図示のような体裁を整えて完了する。
　【００５６】
　一言で言えば図１５は１セットの原稿文書複製の自動化ステップブロックダイアグラムである。他方、各種の表紙印刷の体裁に関する既述の諸例はブロック３０６のスキャンダン手順を呼び出せば達成できる。ここで図１６〜１７を参照することにする。この図はスキャンダン手順のステップを詳細に解説するブロックダイアグラムであって、該手順は前もって要求された画像やページのどんな順序でも完全に実行して図１５のブロック３０８の印刷待ち行列にジョブを送り込むことが出来るよう設計されている。該手順の開始は局所パラメータと変数の初期化のブロック３５０からであって、ジョブにどの表紙が必要なのか指示を検索するブロック３５２がそれに続く。つぎに最終ページポインタを初期化してジョブの最終ページを指定するのがブロック３６４で、ただちに判定ブロック３５６でテストしジョブページの空白を意味する空ポインタが有るか確認する。諸ページがジョブ状態にあれば処理は進み判定ブロック３５８と判定ブロック３６０とに達する。これらの判定ブロックは事実上両表紙が未指定であることの確認テストである。両表紙が既指定であれば配列指定はそれより先不要であるからジョブは印刷準備へと進む。だが両表紙が未指定ならば該手順を呼出してチェックを実行し表紙指定の妥当性の是非を確認するのがブロック３６２である。該手順での返却値がチェックされ問題が表表紙に有るのかそれとも裏表紙に有るのかの確認が判定ブロック３６４と３６６とである。該手順で実行したテストはとくにデザインされたものであって、妥当な数の投入画像が走査されてプログラム通りの表紙を生成するのに充分な画像を提供していることを検証するためのテストである。このことが偽であれば１セットの空白表紙が自動的に該セットで追加され（ブロック３６８）、セットカバーズ手順を読み飛ばす（ブロック３７０）。
　【００５７】
　ブロック３７０のセットカバーズ手順とは投入ジョブの画像の順序付けとページの順序付けとを自動的に調整して前もってプログラムしてあった表紙の選択データを用いてジョブの能率を上げるようにデザインした手順であり、それ以上立ち入った説明は後で図１７を参照しながら行なうことにする。ジョブのための表紙のセットで該ジョブは完了（ブロック３７０）しその状態はジョブデータベースの更新（ブロック３７２）によって表わされる。ジョブデータベースは進行中の全ジョブの状態を記録している。走査のあとジョブ進度は主メモリ内のデータベースに保存されシステム内で進行するジョブは夫々の段階で終了する毎に更新される。ジョブ状態終了のセットと再順序付け処理の終了の表示に続き、判定ブロック３７４および判定ブロック３７６とで付随的テストを実行し表表紙選択にせよ裏表紙選択にせよそれらの際にエラーが検知できなかったかどうか探索する。その結果が真であればジョブは印刷待ち行列に進まず誤動作ジョブリストに進むか誤動作条件がユーザの介入で訂正出来る待ち行列に進みつぎの印刷ジョブに間に合わせる。最後に復帰ブロック３８０で呼出手順に戻る。
　【００５８】
　ここで図１８を参照することにする。この図１８で図１７の手順ブロック３７０のところで予告したようにセットカバーズ手順の構造を解説するが、呼出後セットカバーズ手順はブロック４００の手順でパスされたパラメータを検索する。つぎに該手順は図では一連の４個の判定ブロック４０２、４０４、４０６、４０８で示すケース（ＣＡＳＥ）文を実行しユーザが図１２のプログラミングスクリーンを使ってプログラムした表紙印刷のセット状態を確定する。ブロック４０２でテストした結果プログラムしたはずの表紙選択が偽であれば、処理手順はブロック４１６へ進みデータベースを更新し制御は呼出手順に復帰する。ところが表表紙（ＦＲＯＮＴ），裏表紙（ＢＡＣＫ），両表紙（ＢＯＴＨ）と言った選択が判定ブロック４０４、４０６、４０８で夫々探索された場合、付帯手順が呼出され画像とページの自動操作を制御する。とくに付帯手順には手順ブロック３１２のセットフロントカバーズインターナル手順と手順ブロック４１４のセットバックカバーズ手順とが含まれていて、表表紙手順と裏表紙手順の両方または片方の呼出の実行につづけて制御が復帰しデータベースおよびブロック４１６で更新されセットカバーズ手順は制御をブロック４１８の呼出モジュールに復帰させる。
　【００５９】
　ここで図１９〜２０を参照することにする。この図は本発明にしたがい既述のセットフロントカバーズインターナル手順に関する処理手順を表わしている。当初該手順はジョブの最終画像ページのポインタを検索しブロック４３０で最終ページのポインタが判明する。つぎに該手順は現行のページおよび画像の体裁を元にした念入りなイフ（ＩＦ）文を実行し現行のジョブ列の最後にページを付加する必要の存否を判定ブロック４３２で確定する。真であればブロック４３４で現行の最終ページと同じ特徴の追加ページを該列の最後に生成・追加してジョブ列の新規最終ページを得る（ブロック４３６）。
　【００６０】
　ジョブ列の末尾の調整を行なった後で該手順は画像の載る表表紙の面数に関したケース（ＣＡＳＥ）文を実行し未だ続けて画像とページの再配列が要るかどうか確認する。ケース（ＣＡＳＥ）文の実行したものは図で４個からなる一連の判定ブロック４３８、４４０、４４２、４４４と可変面画像の不適セットの検知結果を表わすデフォルトケースブロック４４６とで図示され後者が実際に検知された場合にはシステムエラーを宣言する。
　【００６１】
　表表紙のどの面にも画像が載らないのならそのことを検知したとき（判定ブロック４３８）、空白ページを創成して（ブロック４４８）ジョブ列の先頭に挿入する（ブロック４５０）。その結果両面とも空白ページのものが１枚出来たことになり無地表紙を作成したことになる。表紙の表側に印刷するようになっている場合、該手順でテストし（判定ブロック４５２）画像が１画像分だけジョブ列の末尾に向って寄った方が良いか確認する。このテストの結果、ジョブが両面印刷ジョブならば肯定の結果になり、図１３Ｂの表表紙２００の生成に関する既述の例と同じになる。画像のシフトが必要なときにはシフトイメージライト（ＳｈｉｆｔＩｍａｇｅｓＲｉｇｈｔ）手順を呼出して手順ブロック４５４で画像は右に寄せられる。一般にシフトイメージライト手順はジョブ列の最後の画像と一緒に起動され該画像を１ページ分右へ寄せる手順であってブロック４３６で追加したページがそれに相当する。ついで該手順は残余の画像を先行シフトで生み出された空白ページに送り全画像を送り続けてその結果一時的に空白第１ページが生じる。最後に再配列の表表紙は画像を最初のつまり表表紙の裏面から表側へとブロック４５６のムーブサイド（ＭｏｖｅＳｉｄｅ）手順を介して寄せて終了する。その結果表表紙の表側に画像を与え表表紙の裏面には空白を生み出すことになる。代わりに判定ブロックでのテストが偽ならばそれはジョブ列が前から片面印刷出力モードになっていたことを意味しており処理手順をこれ以上進めて表側だけに画像を持つ表表紙を創成することは必要ないことになる。
　【００６２】
　ケース（ＣＡＳＥ）文の３番目の二者択一は判定ブロック４４２であって、表表紙の裏面にだけ印刷画像のある場合で図１３Ｃと図１４Ｃとの出力例で解説した場合である。まず判定ブロック４６０でテストして画像をシフトして文書の表に空白ページ面を創成する必要性が有るかはっきりさせる。両面印刷形式で出力する文書であればその様な送りが必要であるから手順ブロック４６２で実行する。しかしながらこの状況ではこれ以上画像の操作は必要ではないことはこの場合両面画像文書の第１紙の裏面にだけ画像があるということで明らかである。目的とする文書出力もそれと同じことでジョブ列が片面印刷モードにあるとすれば、判定ブロック４６０での答は否でありその結果ブロック４６４のムーブサイド（ＭｏｖｅＳｉｄｅ）手順は第１紙の表面の画像をその裏面に移動し前同様所望の出力文書を生ずる。
　【００６３】
　ケース文の最後に残された有効な二者択一は表表紙が両面とも印刷画像を有する場合であって図１３Ｄと図１４Ｄとに図示した出力例がそれである。表表紙が両面印刷であることを確認してから該手順は判定ブロック４６６でテストを実行しジョブ列が現行では片面印刷モードなのか真偽を問うている。真ならば判定ブロック４６６が真と答え第２片面印刷ページの表の画像が第１ページの裏面に寄せられて両面印刷第１紙になる（手順ブロック４６８）。つぎに第２ページの画像の移動のため空白紙になった第２ページはブロック４７０で削除される。
　【００６４】
　最後にプログラム通りの表表紙の追加で起こるページの調整の後でジョブのページパラメータと画像パラメータとを更新して現行のジョブ列の体裁を反映させる（ブロック４５８）。ついで制御は復帰して呼出手順へ移り（ブロック４７２）、裏表紙に関する付随的に必要な再配列を促進する、つまりジョブを進めて印刷待ち行列に達するのである。
　【００６５】
　ここで図２１〜２３を参照することにする。この図は本発明によるセットバックカバーズ手順関連の処理手順ステップを表わしており、ます手順はジョブの最終画像ページのポインタを検索して最終ページ関連のパラメータを得る（ブロック５１０）。つぎに該手順は念入りなイフ文を実行して現行のページと画像体裁とを元に現行のジョブ画像列の末尾に追加ページが要るか確認する（判定ブロック５１２）。真であればブロック５１４で現行の最終ページと同じ種類の追加ページを創成しついで該ページを列末尾に加えてジョブ列の新規最終ページにする（ブロック５１６）。
　【００６６】
　ジョブ列の末尾を調整してから該手順は画像を持つ裏表紙の面数値に関してケース文を実行し画像とページの追加再配列が必要か確認する。実行したケース文は一連の４個からなる判定ブロック５１８、５２０、５２２、５２４と１個のデフォルトケースブロック５２６とによって図示されておりここにデフォルトケースブロック５２６は画像付き面変数の設定に無効な設定が有るか探索しそれが検知出来ればシステムエラーを宣言する。
　【００６７】
　判定ブロック５１８で実行する第１テストは印刷画像が裏表紙の裏面だけに有るか確認するテストであって、真ならば該手順はつぎに判定ブロック５２８を実行してジョブ上の最終画像がページの表側にあるか確認する。最終ページに画像があればそれは最終ページの表側に有るはずである。手順ブロック５３０のムーブサイド手順が呼出され該画像を最終ページの表側から裏面へ転送させる。その代り手順ブロック５３２は画像を前ページの裏面から最終ページつまり裏表紙の裏面に転送しその結果裏面に限り画像を持つ裏表紙と表側に限り画像を持つ最終から２番目のページとを創成する。
　【００６８】
　裏表紙の選び方の問題は既述の図１３Ｂと図１３Ｃでの出力例に見るように表側だけに印刷がプログラムされているとしたら、判定ブロック５２０でそれが検知されると該システムは再度最終画像が表側のページにあるか判定ブロック５３４で確認のためチェックする。真ならば画像は正しい位置にあるわけだからどの画像もずらせる必要は無い。だが偽であれば先行のすなわち最終ページから２番目のページの裏は最終ページ即裏表紙の表側にプログラム通りずらさなければ成らない。このシフトは手順ブロック５３６のムーブサイド手順で完了する。
　【００６９】
　ケース文の第３の二者択一は判定ブロック５２２で表わされているがこれは裏表紙の両面が印刷画像を有するもので図１３Ｄと図１４Ｄとで示してある。裏表紙が両面画像の表紙だと判定ブロック５２２で確認してから該システムは最後の画像がページの表にあるか確認のテストをする。偽ならば最後の画像は最終ページの裏にあることになりしたがって最後の紙は両面画像モードになってしまっているわけだからこれ以上の配列ジョブは不要である。判定ブロック５３８が真であれば最後の画像が表ページにあるはすで、つぎに判定ブロック５４０で先行ページの裏に画像があるか確認する。先行ページの裏に画像が無ければジョブ列が片面印刷画像モードに設定され両面印刷の裏表紙が最後の２ページ分の表の画像の組み合わせで出来上がる。とくに手順ブロック５４２はムーブサイド手順を実行して画像を最終ページの表から裏へ転送させ、つぎのムーブサイド手順が手順ブロック５４４で画像を先行ページの表から最終ページの表へ転送させる。最終ページがこの形態に出来上がると先行ページ即最終ページから２番目のページは空白になってブロック５４６で削除される。しかし画像が最終ページの反対側にあることが判定ブロック５４０で検知された場合、該ジョブは両面印刷画像モードにあり最終ページは最初の画像の転送を最終ページの表から裏へ行なうだけで出来上がる。これはムーブサイド手順ブロック５４８である。第２に先行ページつまり最終ページから数えて第２ページの裏面の画像は最終ページの表側に転送する。これが手順ブロック５５０であり、これで再度所望の両面印刷画像裏表紙が作成される。
　【００７０】
　ケース文の最初の３個と関連したページの再配列ジョブに引き続き、ジョブ用の関連ページのパラメータと関連画像のパラメータとはジョブデータベース内で必ず更新する必要がある（ブロック５６０）。こうして新規の体裁作りのジョブはデータベースに正確・確実に反映するのである。最後に、ケース文の第４の二者択一、つまり判定ブロック５２４は裏表紙のどちらの面にも画像が無い場合である。この種の裏表紙はジョブとしてはたんに追加分のページを足すだけで出来上がり（ブロック５５２）、この追加ページはジョブ列の末尾に付け加える（ブロック５５４）。追加分のページパラメータはページ追加ジョブのために更新する必要は無いことを一言付け加える。必要な再配列の達成後、ユーザのプログラム通りの裏表紙が作成され、制御はブロック５６２の呼出手順に復帰する。
　【００７１】
　ジョブモードと出力文書についてこれ迄例を挙げて説明した内容で明らかなように本発明によれば印刷システムの文書出力に好適なコンパイルされた電子画像の記号列を生成出来、このシステムを用いれば文書に印刷画像付きの表表紙と裏表紙の両方または片方を付帯させることが出来るようになる。さらに本発明を電子複写印刷システムに採用すると表表紙と裏表紙の選択幅が広くなり一般に光学レンズ方式の複写印刷システムや電子複写印刷システムで今日得られている選択幅よりも勝っていることは疑い無いところである。なお言えばこれらの機能は自動化向きであってそれはユーザの複写過程への介入不要と言う条件を満たしているためである。付言すれば表紙の選択範囲をプログラムし生成することが容易であるため出力文書として表紙付き文書を作成するためのオペレータの訓練量が少なくて済みこの分野でのオペレータの訓練項目がやたらに増えるのを防ぐことが出来るのである。
【図面の簡単な説明】
　【図１】　本発明の印刷優先機能が組み込まれている電子印刷システムの透視図である。
　【図２】　図１に示された印刷システムの主要部分を含むブロックダイアグラムである。
　【図３】　図１に示された印刷システムの主要機械部品の説明用平面図である。
　【図４】　文書スキャナの一定部分の構造を詳細に示す模式図である。
　【図５】　システムコントローラ部の主要部の模式的ブロックダイアグラムの▲１▼である。
　【図６】　システムコントローラ部の主要部の模式的ブロックダイアグラムの▲２▼である。
　【図７】　システムコントローラ部の主要部の模式的ブロックダイアグラムの▲３▼である。
　【図８】　オペレーティングシステムを示すブロックダイアグラムであってプリント配線プリント配線基板とライン共有結線とが記入されている。
　【図９】　ジョブプログラミングモードに在るユーザインタフェースタッチスクリーン表示装置の図であってプログラミングジョブに使われるジョブチケットとジョブスコアカードの例を表示したところである。
　【図１０】　表紙プログラミングモードに在るユーザインタフェースタッチスクリーン表示装置の図であってオプションで表紙を選んだ場合を表示しているところである。
　【図１１】　表紙プログラミングモードに在るユーザインタフェースタッチスクリーン表示装置の図であってジョブチケット領域内でオプションで表紙ストックを選んだ場合を表示しているところである。
　【図１２】　表紙プログラミングモードに在るユーザインタフェースタッチスクリーン表示装置の図であってジョブチケット領域内でオプションで印刷を選んだ場合を表示しているところである。
　【図１３】　Ａは両面画像入力文書セットの典型例の複製に本発明による図１の印刷システムを用いた場合の図解、ＢないしＤは表紙を備えた出力文書の３例であって図１３Ａの投入文書から作り出されたものである。
　【図１４】　Ａは片面ものの投入文書セットの典型例の複製に本発明による図１の印刷システムを用いた場合の図解、ＢないしＤは表紙を備えた出力文書の３例であって図１４Ａの投入文書から作り出されたものである。
　【図１５】　図１の印刷システムが自動化ステップを実行し１セットの原本を複製する過程の図解である。
　【図１６】　本発明のスキャンダン（ＳｃａｎＤｏｎｅ）と言う手順での各種ジョブと手順呼出方法とを説明するフローチャートである。
　【図１７】　本発明のスキャンダン（ＳｃａｎＤｏｎｅ）と言う手順での各種ジョブと手順呼出方法とを説明するフローチャートである。
　【図１８】　本発明のセットカバーズ（ＳｅｔＣｏｖｅｒｓ）と言う手順での各種ジョブと手順呼出方法とを説明するフローチャートである。
　【図１９】　本発明のセットフロントカバーインターナル（ＳｅｔＦｒｏｎｔＣｏｖｅｒｓＩｎｔｅｒｎａｌ）と言う手順での各種ジョブと手順呼出方法とを説明するフローチャートである。
　【図２０】　本発明のセットフロントカバーインターナル（ＳｅｔＦｒｏｎｔＣｏｖｅｒｓＩｎｔｅｒｎａｌ）と言う手順での各種ジョブと手順呼出方法とを説明するフローチャートである。
　【図２１】　本発明のセットバックカバーズ（ＳｅｔＢａｃｋＣｏｖｅｒｓ）と言う手順での各種ジョブと手順呼出方法とを説明するフローチャートである。
　【図２２】　本発明のセットバックカバーズ（ＳｅｔＢａｃｋＣｏｖｅｒｓ）と言う手順での各種ジョブと手順呼出方法とを説明するフローチャートである。
　【図２３】　本発明のセットバックカバーズ（ＳｅｔＢａｃｋＣｏｖｅｒｓ）と言う手順での各種ジョブと手順呼出方法とを説明するフローチャートである。
　【符号の説明】
　２　プリンティングシステム、６　スキャナ部、７　コントローラ部、８　プリンタ部、２０　プラテン、２２　文書、２４　リニアアレイ、２５　プロセッサ、２６　レンズ、２８，２９，３０　ミラー、３５　自動文書取扱装置（ＡＤＦ）、３７　文書トレイ、４０　真空引き搬送ベルト、４１　文書搬送ロール、４２　文書供給ベルト、４４　文書搬送ロール、４６　文書挿入スロット、４８キャッチトレイ、４９　送りロール、５０　画像入力コントローラ、５１　圧縮兼プロセッサ、５２　ユーザインタフェース（Ｕ／Ｉ）、５４　システムコントローラ、５６　主メモリ、５８　画像操作部、６０　画像出力コントローラ、６１　システムメモリ、６２　タッチスクリーン、６４　キーボード、６６　マウス、６７　カーソル、７０，７０−１〜１０　プリント配線基板、７２，７４　メモリバス、７８　システムプロセッサ、８０　通信コントローラ、８２　プロセッサ、８６　プロセッサ、８７　ラスタ出力スキャナ部（ＲＯＳ）、８８，８９　プロセッサ、９０−１〜３　ハードディスク、９１　レーザ、９２　音響光学変調器、９４　結像ビーム、９５　プリントモジュール部、９８　可動受光体、１００　回転多面体、１０２　コロトロン、１０４　現像装置、１０６　転写ステーション、１０７　用紙供給部、１０８　プリント媒体、１１０　主用紙トレイ、１１２，１１４　副用紙トレイ、１１６　定着器、１１８　出力トレイ、１２０　仕上げ部、１２２　ステッチャ、１２４　加熱製本器、１３０　ＥＤＮコア・プリント配線基板、１３２　マーキング・画像形成コア・プリント配線基板、１３４　用紙保持コア・プリント配線基板、１３６　仕上げバインダコア・プリント配線基板、１３８　入出力プリント配線基板、１４０　システムバス、１４２　ローカルバス、１４７　ブートＲＯＭ